(57)【特許請求の範囲】
【請求項１】
汚物容器に収納した汚物を薬液で処理して廃棄するようにした汚物廃棄処理方法において、汚物容器内の排水と洗浄をし、新たに薬液を注入する初期化工程と、汚物を汚物容器に吸引する工程と、汚物が汚物容器内で所定量に達すると、前記初期化工程と汚物の吸引工程を繰り返す工程と、所定時間経過すると汚物の収納量に拘らず装置駆動用電源をオフして排水と洗浄の後処理を行う工程とを具備してなることを特徴とする汚物廃棄処理方法。
【請求項２】
汚物容器に収納した汚物を薬液で処理して廃棄するためにＣＰＵを、
汚物容器内の排水と洗浄をし、新たに薬液を注入する初期化手段、
汚物を汚物容器に吸引する手段、
汚物が汚物容器内で所定量に達すると、前記初期化手段と汚物の吸引手段を繰り返す手段、及び
所定時間経過すると汚物の収納量に拘らず装置駆動用電源をオフして排水と洗浄の後処理を行う手段、
として機能させるための汚物廃棄処理プログラム。
【請求項３】
汚物容器に収納した汚物を薬液で処理して廃棄する装置であって、
汚物容器内の排水と洗浄をし、新たに薬液を注入する初期化手段、
汚物を汚物容器に吸引する手段、
汚物が汚物容器内で所定量に達すると、前記初期化手段と汚物の吸引手段を繰り返す手段、及び
所定時間経過すると汚物の収納量に拘らず装置駆動用電源をオフして排水と洗浄の後処理を行う手段
からなる汚物廃棄処理装置。
【請求項４】
初期化手段において、汚物容器内に洗浄水を供給するための洗浄水弁と汚物容器内に薬液を供給するための薬液弁との開閉時間を、ＣＰＵに接続されたタイマーにより制御し、
初期化手段における洗浄中と後処理を行なう手段における洗浄中とにクリーニング表示灯を点灯し、
汚物を汚物容器に吸引する手段において汚物がオーバーフローしたときのクリーニング中にオーバーフロークリーニング表示灯を点灯し、
各手段において薬液切れを検出したときに薬液切れ表示灯を点灯し、
各手段における作業中のエラー発生時にエラー表示灯を点灯する
ようにした請求項３記載の汚物廃棄処理装置。
【発明の詳細な説明】
【０００１】
【発明の属する技術分野】
本発明は、医療機関における手術台等から排出される汚物を自動的にクリーニングして排出するための汚物廃棄処理方法、汚物廃棄処理プログラム及び汚物廃棄処理装置に関するものである。
【０００２】
【従来の技術】
従来、この種の汚物廃棄処理方法及び装置は、図３に示すように、汚物容器１０に吸い込み管１６を介して汚物発生源の手術台１４を結合するとともに、吸気管１５を介して吸引用のポンプ１３を結合し、ポンプ１３にて吸気管１５を通して汚物容器１０内の空気を吸引すると、吸い込み管１６を通して手術台１４から汚物１１を吸引する。汚物容器１０内では、内部の空気だけがポンプ１３側へ吸引され、汚物１１は、汚物容器１０の内部に落下収納される。
【０００３】
汚物容器１０には、あらかじめ薬液１２が入れられており、手術台１４からの汚物１１が収納されて中和等の処理が行われる。汚物容器１０内に所定量の汚物１１が収納されると、吸気管１５と吸い込み管１６を外して下水に廃棄される。
【０００４】
【発明が解決しようとする課題】
従来の装置では、所定量の汚物１１が溜ったことを目視で検出して下水へ廃棄するため、廃棄の都度吸気管１５と吸い込み管１６を外して下水へ排水しなければならず、また、汚物１１を排水した後の汚物容器１０内の洗浄も手で行うため、衛生上の問題があり、さらに、洗浄後に再び薬液１２を注入する作業、薬液１２の注入後に再び吸気管１５と吸い込み管１６を結合する作業等もあり、作業性が極めて悪かった。
【０００５】
さらに、薬液１２の注入忘れがあると、汚物１１のたれ流し状態となり、環境汚染の原因になるという問題があった。
【０００６】
本発明は、汚物容器に所定量の汚物が溜ったことの検出、汚物の排水、排水後の汚物容器内の洗浄、洗浄後の薬液の再注入等をすべて自動的に行うことにより、作業性を向上し、かつ、環境汚染を防止することを目的とするものである。
【０００７】
【課題を解決するための手段】
本発明は、作業がスタートすると、汚物容器内の排水、洗浄、薬液注入の初期化を自動的に行い、イベントの発生に待機する。イベントが発生すると、自動的に汚物を吸引して汚物容器に収納し、一定量に達すると、これを自動的に検出し、一時的な汚物の吸引を停止し、汚物容器からの汚物の排出、汚物容器内の洗浄の後処理を自動的に行う。再び吸引可能にしてつぎのイベントに待機する。
【０００８】
表示灯は、初期化動作中と電源オフ時の自動クリーニング中とのクリーニング表示、汚物のオーバーフロー時のクリーニング中の表示、薬液が空のときの表示、エラー動作中（例えば、排水が一定時間以上かかったとき、排水してもオーバーフローセンサーが元に戻らないとき等）の表示がある。
【０００９】
【発明の実施の形態】
以下、本発明の一実施例を図１及び図２に基づき説明する。
図１において、汚物容器１０には、上端部に、汚物投入口３４、洗浄水注入口３５、薬液注入口３６、吸気口３７、通気口３８及びオーバーフローセンサー２９が設けられ、下端部に排水口３９が設けられている。また、この汚物容器１０の内部には、必要に応じて撹拌翼４０が設けられる。
【００１０】
前記汚物投入口３４には、吸い込み管１６を介して汚物発生源の手術台１４等が連結され、前記洗浄水注入口３５には、洗浄水弁３２を介して洗浄水タンク２６が連結され、前記薬液注入口３６には、薬液弁３１を介して薬液タンク２５が連結され、前記吸気口３７には、吸気管１５を介してポンプ１３が連結され、前記通気口３８には、通気弁２８が連結され、前記排水口３９には、配水管３３、排水弁２７を介して下水へ連結されている。
前記オーバーフローセンサー２９は、ＣＰＵ１７に接続されている。
【００１１】
このＣＰＵ１７には、データや動作指令信号等を入力する入力部１８、データを記憶するＲＡＭ１９、プログラムを記憶し指令するＲＯＭ２０、電磁弁開閉時間制御用のタイマー２１、主電源２２、補助電源２３、表示灯２４、オーバーフローセンサー２９、薬液切れセンサー３０、排水弁２７、通気弁２８及びポンプ１３が接続されて各種の制御が行われる。
前記表示灯２４は、クリーニング表示灯２４ａ、オーバーフロークリーニング表示灯２４ｂ、薬液切れ表示灯２４ｃ、エラー表示灯２４ｄからなる。
【００１２】
以上のような回路構成による作用を図２に基づき説明する。
ＣＰＵ１７により主電源２２をオンすると、先ず初期化工程が開始される。
この初期化工程では、ＣＰＵ１７により排水弁２７が開放し、汚物容器１０内に残っていた汚物１１と薬液１２とが排水口３９、配水管３３を経て下水へ排出される。このとき、通気弁２８も開放し、汚物容器１０が通気口３８を介して大気と導通して、排水を円滑に行わせる。
同時にタイマー２１からの設定時間だけ洗浄水弁３２が開放し、洗浄水タンク２６から洗浄水注入口３５を経て汚物容器１０に洗浄液が注入され、必要に応じて撹拌翼４０で撹拌して汚物容器１０内を洗浄し、この洗浄後の廃液も下水へ流される。
【００１３】
洗浄が終了したら、排水弁２７、通気弁２８、洗浄水弁３２を閉じる。ついで、タイマー２１による設定時間だけ薬液弁３１が開いて、所定量の薬液が薬液タンク２５から薬液注入口３６を介して汚物容器１０へ注入される。この状態で、イベントの発生に待機する。
薬液タンク２５からの薬液１２の注入量と洗浄水タンク２６からの洗浄水の注入量は、タイマー２１によって設定された薬液弁３１と洗浄水弁３２の開放時間によって制御される。
【００１４】
イベントが発生すると、ＣＰＵ１７の指令によりポンプ１３が作動し、吸気管１５、吸気口３７を介して汚物容器１０内の空気を吸引するので、手術台１４における汚物１１が吸い込み管１６、汚物投入口３４を経て汚物容器１０内に吸引され、初期化時に注入された薬液１２と混合して処理される。
イベントの発生毎に汚物１１が汚物容器１０に収納される。そして、オーバーフローセンサー２９が作動しない限り、補助電源２３からそれぞれの制御機器部へ電源が送られて汚物１１が汚物容器１０へ収納される。
【００１５】
汚物容器１０は、通常の手術時にはオーバーフローしないような容量としておくが、もし、汚物容器１０が汚物１１によりオーバーフローするような異常事態になると、オーバーフローセンサー２９がそれを検出し、ＣＰＵ１７へ警告信号を送るので、主電源２２のオン時と同様の初期化動作として、汚物容器１０内の汚物１１の排水、汚物容器１０内の洗浄、薬液１２の注入が行われ、つぎのイベントの発生に待機する。
【００１６】
１日の作業終了、一定時間の作業終了等、作業が終了すると、汚物容器１０が汚物１１でオーバーフローするかどうかに拘らず、ＲＯＭ２０のプログラムによるＣＰＵ１７からの指令により補助電源２３がオフして、後処理が行われる。この後処理として、初期化工程におけると同様の汚物容器１０内の排水及び汚物容器１０内の洗浄が行われる。
【００１７】
後処理後、入力部１８からの指令などによりＣＰＵ１７から補助電源２３の再投入信号が出力すると、初期化工程に戻る。
補助電源２３の再投入指令がなければ、ＲＯＭ２０のプログラムによるＣＰＵ１７からの指令により主電源２２がオフして動作終了となる。
【００１８】
前記動作中において、クリーニング表示灯２４ａは、主電源２２オン時の初期化動作中（クリーニング中）と、補助電源２３オフ後の後処理中（クリーニング中）に点灯する。
オーバーフロークリーニング表示灯２４ｂは、汚物容器１０が汚物１１でオーバーフローしたときのクリーニング中に点灯する。
薬液切れ表示灯２４ｃは、薬液タンク２５の薬液切れセンサー３０が薬液１２切れを検出したときに点灯する。
エラー表示灯２４ｄは、作業中のエラー発生時（例えば、排水が一定時間以上かかったとき、排水してもオーバーフローセンサーが元に戻らないとき等）に点灯する。
【００１９】
【発明の効果】
請求項１記載の発明によれば、汚物容器に収納した汚物を薬液で処理して廃棄するようにした汚物廃棄処理方法において、汚物容器内の排水と洗浄をし、新たに薬液を注入する初期化工程と、汚物を汚物容器に吸引する工程と、汚物が汚物容器内で所定量に達すると、前記初期化工程と汚物の吸引工程を繰り返す工程と、所定時間経過すると汚物の収納量に拘らず装置駆動用電源をオフして排水と洗浄の後処理を行う工程とを具備したので、汚物容器に所定量の汚物が溜ったことの検出、汚物の排水、排水後の汚物容器内の洗浄、洗浄後の薬液の再注入等をすべて自動的に行うことができる。
【００２０】
請求項２記載の発明によれば、汚物容器に収納した汚物を薬液で処理して廃棄するためにＣＰＵを、
汚物容器内の排水と洗浄をし、新たに薬液を注入する初期化手段、
汚物を汚物容器に吸引する手段、
汚物が汚物容器内で所定量に達すると、前記初期化手段と汚物の吸引手段を繰り返す手段、及び
所定時間経過すると汚物の収納量に拘らず装置駆動用電源をオフして排水と洗浄の後処理を行う手段、
として機能させるための汚物廃棄処理プログラムとしたので、汚物容器に所定量の汚物が溜ったことの検出、汚物の排水、排水後の汚物容器内の洗浄、洗浄後の薬液の再注入等のすべての一連の動作をプログラムで管理でき、作業性に優れている。
【００２１】
請求項３記載の発明によれば、汚物容器に収納した汚物を薬液で処理して廃棄する装置であって、
汚物容器内の排水と洗浄をし、新たに薬液を注入する初期化手段、
汚物を汚物容器に吸引する手段、
汚物が汚物容器内で所定量に達すると、前記初期化手段と汚物の吸引手段を繰り返す手段、及び
所定時間経過すると汚物の収納量に拘らず装置駆動用電源をオフして排水と洗浄の後処理を行う手段
からなるので、衛生上の問題がなく、薬液の注入作業、薬液注入後の吸気管と吸い込み管を再結合作業等がなくなり、作業性にすぐれている。
また、薬液の注入忘れがないので、汚物のたれ流しがなくなり、環境にやさしい装置が得られる。さらに、装置自体も簡便で、かつ、確実に動作するものを提供できる。
【００２２】
請求項４記載の発明によれば、初期化手段において、汚物容器内に洗浄水を供給するための洗浄水弁と汚物容器内に薬液を供給するための薬液弁との開閉時間を、ＣＰＵに接続されたタイマーにより制御するようにしたので、洗浄水と薬液の供給量を簡単に、かつ、正確に制御できる。
また、初期化手段における洗浄中と後処理を行なう手段における洗浄中とにクリーニング表示灯を点灯し、
汚物を汚物容器に吸引する手段において汚物がオーバーフローしたときのクリーニング中にオーバーフロークリーニング表示灯を点灯し、
各手段において薬液切れを検出したときに薬液切れ表示灯を点灯し、
各手段における作業中のエラー発生時にエラー表示灯を点灯する
ようにしたので、クリーニング表示灯が、主電源オン時の初期化動作中（クリーニング中）と、補助電源オフ後の後処理中（クリーニング中）に点灯し、オーバーフロークリーニング表示灯が、汚物容器が汚物でオーバーフローしたときのクリーニング中に点灯し、薬液切れ表示灯が、薬液タンクの薬液切れセンサーが薬液切れを検出したときに点灯し、エラー表示灯が、作業中のエラー発生時（例えば、排水が一定時間以上かかったとき、排水してもオーバーフローセンサーが元に戻らないとき等）に点灯して、正常に動作中か、異常状態かが表示され、汚物処理をより安全に行うことができる。
【図面の簡単な説明】
【図１】本発明による汚物廃棄処理方法及び装置の一実施例を示すブロック図である。
【図２】本発明による汚物廃棄処理方法及び装置の一実施例を示すフローチャートである。
【図３】従来の汚物廃棄処理方法及び装置の説明図である。
【符号の説明】
１０…汚物容器、１１…汚物、１２…薬液、１３…ポンプ、１４…手術台、１５…吸気管、１６…吸い込み管、１７…ＣＰＵ、１８…入力部、１９…ＲＡＭ、２０…ＲＯＭ、２１…タイマー、２２…主電源、２３…補助電源、２４…表示灯、２４ａ…クリーニング表示灯、２４ｂ…オーバーフロークリーニング表示灯、２４ｃ…薬液切れ表示灯、２４ｄ…エラー表示灯、２５…薬液タンク、２６…洗浄水タンク、２７…排水弁、２８…通気弁、２９…オーバーフローセンサー、３０…薬液切れセンサー、３１…薬液弁、３２…洗浄水弁、３３…配水管、３４…汚物投入口、３５…洗浄水注入口、３６…薬液注入口、３７…吸気口、３８…通気口、３９…排水口、４０…撹拌翼、４１…商用電源。
【図１】
0004172906.tif 000002
【図２】
0004172906.tif 000003
【図３】
0004172906.tif 000004